(57)【特許請求の範囲】
【請求項１】
セミフィニッシュレンズを用いて眼鏡レンズ（１２，４４）を製造するようになっている方法において、
−セミフィニッシュレンズを選択するステップと、
−セミフィニッシュレンズの座標系内で、セミフィニッシュレンズの表面の第１の交点（３２，（ｘ１，ｙ１），（ｘ’１，ｙ’１））を指定するステップと、
−眼鏡着用者の眼（１０）の前方の使用位置においてセミフィニッシュレンズの表面を前記第１の交点（３２，（ｘ１，ｙ１），（ｘ’１，ｙ’１））で貫く第１の眼側視線（３０）の視角（φ１，Ψ１）を規定するステップであって、
（φ１，Ψ１）＝ｓＩＰ（ｘ１，ｙ１）
が成り立つステップと、
−第１の眼側視線（３０）の所定の値と実際の値との間の最大許容差を表す標的値（ｇ（φ１，Ψ１））を指定するステップと、
−前記第１の眼側視線（３０）の前記標的値（ｇ（φ１，Ψ１））を、以下の方程式、すなわち、
ｆ（ｘ１，ｙ１）＝ｇ（ｓＩＰ（ｘ１，ｙ１））
を用いて、前記第１の交点（３２，（ｘ１，ｙ１），（ｘ’１，ｙ’１））の標的値（ｆ（ｘ１，ｙ１），ｆ（ｘ’１，ｙ’１））として割り当てるステップと、
−セミフィニッシュレンズを発端として、第１の交点（３２，（ｘ１，ｙ１），（ｘ’１，ｙ’１））の標的値（ｇ（φ１，Ψ１），ｆ（ｘ１，ｙ１），ｆ（ｘ’１，ｙ’１））を考慮して眼鏡レンズ（１２，４４）を計算するステップと、
を含み、
前記第１の交点（３２，（ｘ１，ｙ１），（ｘ’１，ｙ’１））の標的値（ｇ（φ１，Ψ１），ｆ（ｘ１，ｙ１），ｆ（ｘ’１，ｙ’１））は、
−前記第１の交点における、球面屈折力の所定の値と球面屈折力の実際の値との間の最大許容差、および／または、
−前記第１の交点における、非点収差の所定の値と非点収差の実際の値との間の最大許容差と、および／または、
−前記第１の交点における、円柱軸位置の所定の値と円柱軸位置の実際の値との間の最大許容差、
を含み、
前記第１の眼側視線（３０）は、眼（１０）の光学眼球回転点（２０）および１つの瞳孔中心点（２４）と交差する線であり、
ｓＩＰは座標変換であり、この座標変換を用いて、セミフィニッシュレンズの座標系内の前記第１の交点（３２）の座標（ｘ１，ｙ１）は、使用位置でのセミフィニッシュレンズの顧客固有パラメータを考慮して、第１の眼側視線（３０）の視角（φ１，Ψ１）へと変換される、方法。
【請求項２】
ｎ個の異なる交点（３２，４０）を用いて方法が実行され、各交点（３２，４０）で、ただ１つの視線（３０，３８）がセミフィニッシュレンズの表面（１６，４６）を貫き、ｎ個の視線（３０，３８）の各視角（（φ１，Ψ１），（φ２，Ψ２））が互いに異なっている請求項１に記載の方法。
【請求項３】
一組の眼鏡レンズ（１２，４４）の各眼鏡レンズ（１２，４４）毎に再び方法が実行される請求項１または２に記載の方法。
【請求項４】
最初のステップにおいて、
−基準眼鏡レンズの表面の少なくとも１つの基準交点（ｘＲ，ｙＲ）が基準眼鏡レンズの座標系内で決定され、
−各基準交点（ｘＲ，ｙＲ）に対して標的値ｆＲ（ｘＲ，ｙＲ）が割り当てられ、  −眼の前方の使用位置における基準眼鏡レンズの各基準交点（ｘＲ，ｙＲ）毎に、眼の座標系内で眼側視線の視角（φ，Ψ）が決定され、前記視線が各基準交点（ｘＲ，ｙＲ）で基準眼鏡レンズの表面を貫くとともに、
（φ，Ψ）＝ｓＩＰ（ｘＲ，ｙＲ）
が成り立ち、
−基準眼鏡レンズの各基準交点（ｘＲ，ｙＲ）の標的値ｆＲ（ｘＲ，ｙＲ）が、関連する視線の標的値ｇ（φ，Ψ）に対して割り当てられ、
ｇ（φ，Ψ）＝ｆＲ（ｘＩＰ（φ，Ψ））
が成り立ち、
ｘＩＰは座標変換であり、この座標変換を用いて、各視線の視角（φ，Ψ）は、使用位置での対応する基準眼鏡レンズの顧客固有パラメータを考慮して、対応する基準眼鏡レンズの座標系内の対応する基準交点の座標（ｘＲ，ｙＲ）へと変換される請求項１または２に記載の方法。
【請求項５】
基準眼鏡レンズとは異なる少なくとも１つの眼鏡レンズ（１２，４４）において最初のステップにしたがって方法が実行される請求項４に記載の方法。
【請求項６】
一組の眼鏡レンズ（１２，４４）の各眼鏡レンズ（１２，４４）毎に最初のステップにしたがって方法が再び実行される請求項４または５に記載の方法。
【発明の詳細な説明】
【技術分野】
【０００１】
本発明は、一組の眼鏡レンズおよび眼鏡レンズの製造方法に関する。
【背景技術】
【０００２】
従来の多焦点レンズは、遠視力のための領域（以下、遠視領域と称する）と、近視力のための領域（以下、近視領域と称する）とによって区別される。遠視領域は一般に眼鏡レンズの上側領域に配置され、近視領域は眼鏡レンズの下側領域に配置される。遠視基準点は、処方された遠視屈折力すなわち特に処方された球面屈折力が得られる遠視領域の点である。近視基準点は、近視屈折力すなわち近視屈折力および加入屈折力が得られる近視領域の点である。プリズム基準点では、プリズム効果、特にプリズム・プリズム薄層化（ｐｒｉｓｍ  ａｎｄ  ｐｒｉｓｍ  ｔｈｉｎｎｉｎｇ）が得られる。
【０００３】
いわゆる移行領域または多焦点領域において、多焦点レンズの屈折力は、遠視領域から近視領域へと漸進的に増大する。遠視領域から近視領域への屈折力の増大は、加入屈折力に対応している。多焦点領域では、中間距離を明確に見ることができる。
【０００４】
多焦点眼鏡レンズの製造では、多焦点眼鏡レンズの表面構造が処方に大きく依存し、特にベース曲線および加入屈折力に大きく依存していることは周知である。多焦点レンズの表面特性は、使用位置−すなわち、眼鏡着用者の眼の前方の眼鏡レンズが配置される位置−において同じ結像特性を示すために様々な処方に応じて幅広く変化する。同じ加入屈折力を示すが異なる球面処方を示す２つの眼鏡レンズの場合、対応する表面は、異なる屈折力を得るために表面屈折力だけではなく、様々な光学距離に対処するために表面非点収差においても異なっている。その結果、ベース曲線とは無関係に同様のサイズの視覚障害を得るための方法が開発されてきた。
【０００５】
また、処方面を変えることにより異なる球面処方および非点収差処方を多焦点面から形成できることから、ベース曲線の内側の結像特性を幅広く変えることができることは公知である。しかしながら、これを最適に実行するためには、多焦点面の表面特性が変わらなければならない。その結果、単一の球処方面または円環処方面の代わりに、ＡＴＯＲＩＣ処方面が使用される。使用位置で同じ特性を得るために、必要な表面改質が多焦点面ではなくＡＴＯＲＩＣを伴って行なわれた。
【０００６】
最後に、処方（すなわち、所望の球面、円柱、プリズム効果）が使用位置に影響を与えて多焦点面の形状によって補償されなければならないだけでなく、眼の前方の眼鏡レンズの配置も影響することも公知である。考慮されてきたパラメータは、瞳孔距離、角膜頂点距離、眼鏡レンズの広角、フレームディスク角度である。これらのパラメータおよび他のパラメータは顧客固有パラメータを含む。特定の顧客においては、顧客固有パラメータを考慮して多焦点眼鏡レンズの多焦点面が計算されて仕上げられる。
【発明の開示】
【発明が解決しようとする課題】
【０００７】
本発明の目的は、眼鏡着用者の見栄えの感覚を高める眼鏡レンズを提供することである。
【課題を解決するための手段】
【０００８】
この目的は、請求項１に記載された一組の眼鏡レンズおよび請求項７に記載された眼鏡レンズを製造するための方法を用いて達成される。好ましい実施形態および変形例が従属請求項の主題である。
【０００９】
本発明の１つの態様は、一組の眼鏡レンズであって、一組のそれぞれの眼鏡レンズが眼側表面と被写体側表面とを備え、
一組のそれぞれの眼鏡レンズの眼側表面および／または被写体側表面は、各眼鏡着用者の眼の前方における眼鏡レンズの使用位置で、第１の視線の交点での標的値が眼鏡レンズのそれぞれの眼側表面または被写体側表面と略同一になるように設計され、
第１の視線のそれぞれは、各眼の瞳孔中心点および光学眼球回転点と交わる所定の眼側視線であり、
第１の視線の全てが所定の同一の眼側視角を示し、
各交点における標的値は、
−球面屈折力の所定の値と使用位置における球面屈折力の実際の値との間の最大許容差、および／または、
−非点収差の所定の値と使用位置における無非点収差の実際の値との間の最大許容差、および／または、
−円柱軸位置の所定の値と一組の各眼鏡レンズの使用位置における円柱軸位置の実際の値との間の最大許容差、
からなる、一組の眼鏡レンズを提供する。
【００１０】
使用される技術用語は、ＤＩＮ  ＥＮ  ＩＳＯ  ８６２４，ＤＩＮ  ５８２０８，ＤＩＮ  ＥＮ  ＩＳＯ  １３６６６，ＤＩＮ  ５３５０およびＤＩＮ  ＥＮ  ＩＳＯ  ８９８０−２などの関連基準で規定される技術用語に対応している。また、前記基準に加えて、Ｄｒ．  Ｒｏｌａｎｄ  Ｅｎｄｅｒｓによる技術マニュアル「Ｏｐｔｉｃｓ  ｏｆ  ｔｈｅ  Ｅｙｅ  ａｎｄ  Ｖｉｓｕａｌ  Ａｉｄｓ」（１９９５，  Ｏｐｔｉｓｃｈｅ  Ｆａｃｈｖｅｒｏｆｆｅｎｔｌｉｃｈｕｎｇ  ＧｍｂＨ，  Ｈｅｉｄｅｌｂｅｒｇ）およびＨｅｉｎｚ  ＤｉｅｐｅｓおよびＲａｌｆ  Ｂｌｅｎｄｏｗｓｋｉによる技術マニュアル「Ｏｐｔｉｃｓ  ａｎｄ  ｔｈｅ  Ｔｅｃｈｎｏｌｏｇｙ  ｏｆ  Ｓｐｅｃｔａｃｌｅｓ」（２００２，  Ｖｅｒｌａｇ  Ｏｐｔｉｓｃｈｅ  Ｆａｃｈｖｅｒｏｆｆｅｎｔｌｉｃｈｕｎｇ  ＧｍｂＨ，  Ｈｅｉｄｅｌｂｅｒｇ）における定義も参照する。用語の定義において、前記基準および前記書物は、本特許出願の開示の一体部分である。
【００１１】
したがって、一組の眼鏡レンズは、それぞれの使用位置でこれらの眼鏡レンズが同一の眼側視角に沿って延びるそれぞれの第１の視線において略同じ標的値を満たすという点で特徴付けられる。つまり、一組の各眼鏡レンズの標的値は、第１の視線における所定の同一の眼側視角と同じである。そのため、少なくとも１つの所定の眼側視線（第１の視線）において、本発明の一組の全ての眼鏡レンズの標的値は実質的に同一である。眼鏡レンズの基準系において、眼鏡レンズの眼側表面および／または被写体側表面との第１の視線の各交点は、異なる座標を有していても良い。そのため、眼鏡レンズの標的値は、眼鏡レンズの基準系内の座標に応じて指定されず、むしろ、眼鏡レンズの使用位置で眼側視角に応じてのみ指定されることが好ましい。
【００１２】
使用位置は、例えば標準化された使用位置によって規定されても良い。標準化された使用位置にしたがって一組の眼鏡レンズを使用する場合、眼球回転中心距離は、約２７．４ｍｍまたは約２７．９ｍｍまたは約２８．５ｍｍまたは約２８．８ｍｍであり、前傾すなわち広角は約８度であり、フェイスフォーム角は約０度であり、瞳距離は約６３ｍｍであり、角膜頂点距離は約１５ｍｍであり、遠視基準点における被写体距離は約０ｄｐｔであり、近視基準点における被写体距離は約−２．５ｄｐｔである。
【００１３】
一組の眼鏡レンズの各眼鏡レンズの眼側表面および／または被写体側表面は、正確に一人の眼鏡着用者の正確に１つの眼の前方に各眼鏡レンズを配置できるように構成されることが好ましい。眼側表面または被写体側表面のそのような構成を用いると、第１の視線において前記構造を簡略化することができる。眼鏡着用者の第１の視線は、眼鏡着用者の頭の静止座標系である。第１の視線は、眼鏡着用者の頭の固定座標系内の球座標で規定されることが好ましい。所定の眼側視角は、眼鏡着用者の頭の座標系内の視線の球座標に対応する。球座標は従来の方法で決定される。例えば、Ｄｒ．  Ｈｅｌｍｕｔ  ＷｏｒｌｅおよびＨａｎｓ−Ｊｏａｃｈｉｍ  Ｒｕｍｐｆによる「Ｈａｎｄｂｏｏｋ  ｏｆ  Ｍａｔｈｅｍａｔｉｃｓ」（１９９２，  Ｒ．  Ｏｌｄｅｎｂｕｒｇ  Ｖｅｒｌａｇ  ＧｍｂＨ，  Ｍｕｎｉｃｈ）における球座標の定義を参照されたい。球座標の定義に関し、この書物は、本特許出願の開示の一定部分を構成する。「Ｈａｎｄｂｏｏｋ  ｏｆ  Ｍａｔｈｅｍａｔｉｃｓ」に記載されたベース面は、例えば、２つの交差する直線を含む面であっても良い。例えば、直線は、眼鏡着用者の２つの瞳孔中心を接続する直線であっても良い。同時に、眼は、眼鏡着用者がゼロ凝視方向で見ている位置にある。他の手段として、第１の直線は、眼鏡着用者の両方の眼の両方の光学眼球回転点を接続する直線であっても良い。
第２の直線は、例えば、第１の直線と交差し且つ眼鏡着用者のゼロ凝視方向と平行に向けられる直線であっても良い。「Ｈａｎｄｂｏｏｋ  ｏｆ  Ｍａｔｈｅｍａｔｉｃｓ」にも記載されているベースラインは、例えば、眼の光学眼球回転点を基点として眼鏡着用者のゼロ凝視方向と平行に向けられるラインであっても良い。したがって、ベースラインはベース面内に位置する。眼鏡着用者がゼロ凝視方向で見ている場合、ベースラインは第１の視線と一致する。しかしながら、眼鏡着用者がゼロ凝視方向で見ていない場合、第１の視線はベースラインと一致しない。むしろ、第１の視線はベース面と交わる。視角は、「Ｈａｎｄｂｏｏｋ  ｏｆ  Ｍａｔｈｅｍａｔｉｃｓ」で与えられるような角度に対応する。
【００１４】
瞳孔の中心、或いはむしろ、本発明の意味の範囲内における瞳孔の中心点は、眼の幾何学的な絞りの中心点であることが好ましい。また、瞳孔中心或いはむしろ瞳孔中心点は、眼の感覚上の絞りの中心点であっても良い。更に、瞳孔中心或いはむしろ瞳孔中心点は、本発明によれば、角膜の頂点であっても良い。
【００１５】
すなわち、視線の視角は、頭の静止座標系内の視線の球座標として与えられても良い。
したがって、角度は、座標系のベースラインおよびベース面に基づいて明確に規定される。ベース面は、例えば、眼鏡着用者の２つの光学眼球回転点およびゼロ凝視方向によって規定される。ベースラインは、例えば、ゼロ凝視方向の視線である。視線の球座標は、ベース面およびゼロ凝視方向に関して視線が入る角度である。例えば、視線がベース面上に投影される場合、球座標の角度は、ベース面上の視線の投影と視線との間の角度である。
球座標の他の角度は、ベース面上の視線の投影とゼロ凝視方向との間の角度であり、この場合、ゼロ凝視方向、視線、および、ベース面上の視線の投影はそれぞれ、眼球回転点と交わる。すなわち、球座標は、眼球回転点と、ゼロ凝視方向と、前述した２つの角度とによって明確に規定されることが好ましい。
【００１６】
座標系は、眼鏡着用者の頭の基準系内で静止していることが有益である。すなわち、頭が動かされるときに視角座標は変更されない。
【００１７】
一組の眼鏡レンズが複数の眼鏡着用者、例えば５人の眼鏡着用者のための眼鏡レンズを含む場合、座標系は、各眼鏡着用者の頭の基準系内で各眼鏡着用者毎に規定される。したがって、５人の眼鏡着用者の場合には、５つの独立の座標系が存在する。また、眼鏡着用者のうちの一人の眼の前方に配置される各眼鏡レンズ毎に第１の交点が規定され、この第１の交点で第１の視線が眼鏡レンズの眼側表面および／または被写体側表面を貫く。すなわち、第１の視線は、各眼鏡着用者のそれぞれの座標系の座標内で与えられる。したがって、第１の視線は、各眼鏡着用者において同じ視角を示す−すなわち、各眼鏡着用者の各座標系内の球座標において同じ座標を示す。言い換えると、各眼鏡着用者毎に第１の交点が規定される。したがって、第１の交点は、それぞれの眼鏡着用者の眼の前方に配置される眼鏡レンズの表面のうちの１つとの第１の視線の交点である。
【００１８】
前述した例にしたがって、５人の眼鏡着用者は、５つの第１の視線を有するとともに、５つの第１の交点も有する。したがって、視角（すなわち、顧客固有座標系内の第１の視線のそれぞれの球座標）は同一である。各眼鏡レンズの座標系内のそれぞれの交点の座標が互いに異なっていても良い。例えば、関連する眼鏡レンズの座標系内の各交点の座標はデカルト座標内で与えられる。５つの典型的な点のデカルト座標は同一でないことが好ましい。
【００１９】
第１の視線は、第１の眼鏡着用者の頭の座標系内に明白な座標を有する。すなわち、各視線の球座標内の視角は、第１の眼鏡着用者の座標系内で明確に規定することができる。
同様に、第１の視線は、第２の眼鏡着用者の頭の座標系内に明白な座標を有する。
【００２０】
したがって、第１の着用者の頭の座標系内の第１の視線の座標は、第２の着用者の頭の座標系内の第１の視線の座標と同一である。第２の眼鏡着用者においては、第１の視線の交点が規定される。したがって、第１の眼鏡着用者の座標系内の第１の眼鏡着用者の第１の視線と同様、第２の眼鏡着用者の頭の座標系内の第２の眼鏡着用者の第１の視線は、同一の視角（すなわち、第２の眼鏡着用者の頭の座標系内の同一の球座標）を示す、同じことが第３、第４、第５の眼鏡着用者にも当てはまる。眼鏡着用者の数は５人に制限されず、任意の数の眼鏡着用者が存在しても良い。
【００２１】
また、一組のそれぞれの眼鏡レンズの眼側表面および／または被写体側表面は、各眼鏡着用者の眼の前方における眼鏡レンズの使用位置で、ｎ番目の視線の交点での標的値が眼鏡レンズのそれぞれの眼側表面または被写体側表面と実質的に同一になるように設計されることが好ましく、
各ｎ番目の視線は、それぞれの眼の光学眼球回転点および瞳孔中心点と交わる所定の眼側視線であり、
ｎ番目の視線の全てが所定の同一の眼側視角を示し、
ｎ番目の視線の全ての視角が他の視線の視角と異なっている。
【００２２】
この場合、ｎは２以上の自然数である。したがって、ｎ番目の全ての視線の視角は互いに異なっており、そのため、同じ視角を示す２つの視線ｉ，ｊは存在しない。
【００２３】
すなわち、一組の眼鏡レンズの眼鏡レンズの前記特性は、それぞれの第１の視線に限定されない。むしろ、前記特性は任意の数の視線に適用され、その場合、前記数はｎ本の視線をとり得る。好ましくは、前記特性は、ｎ＝２本の視線に適用され、特に好ましくはｎ＝１０本の視線に適用され、特にｎ＝１００本の視線に適用される。
【００２４】
例えば、前記特性は、眼鏡着用者一人につき２本の視線−すなわち、眼鏡着用者一人につき第１および第２の視線−に適用されても良い。複数の眼鏡着用者の場合、第１および第２の視線が各眼鏡着用者毎に与えられても良い。その場合、第１の視線の視角はそれぞれの眼鏡着用者において同じである。第２の視線の視角もそれぞれの眼鏡着用者において同じである。しかしながら、第１の視線の視角は第２の視線の視角とは異なる。すなわち、眼鏡着用者の第１の視線は、同じ眼鏡着用者の第２の視線とは異なっている。好ましくはｎが１００に等しい場合、第１、第２、第３、および、第１００の視線は異なる視角を示す。すなわち、一人の同じ眼鏡着用者の第１、第２、第３．．．および、第１００の視線は同じではない。複数の眼鏡着用者の場合、第１の視線は同一の視角を示す。すなわち、各着用者の第１の視線は、好ましくは各着用者の頭の静止座標系内において同一の視角−すなわち、同一の球座標−を有する。同じことが第２の視線、第３の視線．．．．および第１００の視線にも当てはまる。
【００２５】
少なくとも１つの視線は、当該視線に対して割り当てられた交点が主線の一方側に位置するように配置されることが好ましい。すなわち、各眼鏡着用者毎に、眼鏡着用者の眼の前方の使用位置において眼鏡レンズの眼側表面および／または被写体側表面と主線の一方側で交差する少なくとも１つの視線が存在する。使用位置において、主線は、下方を見ているときに主視線と実質的に一致することが好ましい。
【００２６】
例えば、全ての交点は主線の外側或いは主線の側に位置する。特に、全ての交点は、各眼鏡レンズの多焦点領域の外側或いは多焦点領域の側および／または近視領域の外側および／または遠視領域の外側に位置する。すなわち、前記特性が適用される眼鏡着用者の全ての所定の視線は、漸次的領域および／または近視領域および／または遠視領域の側で眼鏡レンズの眼の前方に配置される各眼鏡レンズの眼側表面および／または被写体側表面と交わることが好ましい。
【００２７】
特に、ゼロ凝視方向に対する視角が好ましくは約１０度よりも大きいことは、前述した全ての視線に適用されることが好ましい。すなわち、球座標が好ましくは約１０度よりも大きいことは各視線の球座標に適用される。
【００２８】
特に、一組の眼鏡レンズは、単一視眼鏡と多焦点眼鏡とを備えている。
【００２９】
また、一組の全ての眼鏡レンズは、実質的に同じ加入屈折力および／または実質的に同じ球面屈折力を示す。
【００３０】
一組の眼鏡レンズは、一人の同じ眼鏡着用者のための複数の眼鏡レンズを備えていることが好ましい。これらの眼鏡レンズは、全ての、−好ましくは異なる−構成の眼側表面および／または被写体側表面を示す。眼側表面および／または被写体側表面の異なる形状に起因して、眼鏡着用者の眼の前方の異なる位置に眼鏡レンズを配置することができる。すなわち、様々な眼鏡レンズに対応する顧客固有パラメータが変化する。
【００３１】
しかしながら、一組の眼鏡レンズは、様々な眼鏡着用者のための複数の眼鏡レンズを備えていても良い。したがって、眼鏡レンズの眼側表面および／または被写体側表面は同じ処方に対応するように構成される。すなわち、眼鏡レンズは、処方された値に実質的に対応する同じ球面屈折力、乱視度数（円柱の値）、および、円柱の軸位置を示す。この場合、処方された値はほぼ同じである。すなわち、それぞれの眼鏡レンズを着用する眼鏡着用者は、実質的に同じ非正視を示す。
【００３２】
一組の各眼鏡レンズの眼側表面または被写体側表面が一組のそれぞれの他の眼鏡レンズの眼側表面または被写体側表面と異なっていることが特に好ましい。
【００３３】
すなわち、一組の様々な眼鏡レンズは、実質的に同一の加入屈折力および／または実質的に同じ球面屈折力を示しても良い。しかしながら、異なる顧客固有パラメータ−すなわち、眼の前方の各眼鏡レンズの異なる配置−に起因して、様々な眼鏡レンズの最適化された表面は互いに異なっている。
【００３４】
一組の各眼鏡レンズの眼側表面および／または被写体側表面は、ただ１つの所定の眼鏡着用者の眼の前方における眼鏡レンズの使用位置で、第１の視線の交点での標的値が眼鏡レンズのそれぞれの眼側表面または被写体側表面と実質的に同一になるように構成されていることが好ましい。
【００３５】
すなわち、本発明は、好ましくは、一組の眼鏡レンズであって、
前記一組のそれぞれの眼鏡レンズが眼側表面と被写体側表面とを備え、
前記一組のそれぞれの眼鏡レンズの眼側表面および／または被写体側表面は、ただ一人の所定の眼鏡着用者の１つの眼（または、両方の眼）の前方における眼鏡レンズの使用位置で、第１の視線の交点での標的値が眼鏡レンズのそれぞれの眼側表面または被写体側表面と略同一になるように構成され、
第１の視線は、各眼の瞳孔中心点および光学眼球回転点と交わる所定の眼側の線であり、
第１の視線が所定の眼側視角を示し、
各交点における標的値は、
−球面屈折力の所定の値と使用位置における球面屈折力の実際の値との間の最大許容差、および／または、
−非点収差の所定の値と使用位置における非点収差の実際の値との間の最大許容差、および／または、
−円柱軸の所定の値と前記一組の各眼鏡レンズの使用位置における円柱軸位置の実際の値との間の最大許容差、
からなる、一組の眼鏡レンズに関する。
【００３６】
以上は、複数のｎ個の視線に適用されることが特に好ましい。この場合、ｎは好ましくは２視線であり、更に好ましくは５視線であり、特に好ましくは１００視線である。
【００３７】
また、本発明は、セミフィニッシュレンズを用いて眼鏡レンズを製造するようになっている方法において、
−セミフィニッシュレンズを選択するステップと、
−セミフィニッシュレンズの座標系内で、セミフィニッシュレンズの表面の第１の交点を指定するステップと、
−眼鏡着用者の眼の前方の使用位置においてセミフィニッシュレンズの表面を第１の交点で貫く第１の眼側視線の視角を規定するステップであって、
（φ１，Ψ１）＝ｓＩＰ（ｘ１，ｙ１）
が成り立つステップと、
−第１の視線の標的値ｇ（φ１，Ψ１）を指定するステップと、
−第１の視線の標的値ｇ（φ１，Ψ１）を、以下の方程式、すなわち、
ｆ（ｘ１，ｙ１）＝ｇ（ｓＩＰ（ｘ１，ｙ１））
を用いて、第１の交点（ｘ１，ｙ１）の標的値ｆ（ｘ１，ｙ１）として割り当てるステップと、
−セミフィニッシュレンズを発端として、第１の交点（ｘ１，ｙ１）の標的値ｆ（ｘ１，ｙ１）を考慮して眼鏡レンズを計算するステップと、
を含み、
第１の交点の標的値は、
−球面屈折力の所定の値と使用位置における球面屈折力の実際の値との間の最大許容差、および／または、
−非点収差の所定の値と使用位置における無非点収差の実際の値との間の最大許容差と、および／または、
−円柱軸位置の所定の値と一連の眼鏡レンズの使用位置における円柱軸位置の実際の値との間の最大許容差、
を含み、
前記第１の視線（Ｓ１）は、眼の光学眼球回転点および少なくとも１つの瞳孔中心点と交差する線であり、
ｓＩＰは座標変換であり、この座標変換を用いて、セミフィニッシュレンズの座標系内の第１の交点の座標（ｘ１，ｙ１）は、使用位置でのセミフィニッシュレンズの顧客固有パラメータを考慮して、第１の眼側視線の視角（φ１，Ψ１）へと変換される、方法に適用される。
【００３８】
好ましくは、製造された眼鏡レンズは、実際に完成した眼鏡レンズではなく、むしろ、計算された眼鏡レンズのデータセットにすぎない。特に、眼の前方の１つの使用位置を対象とし且つセミフィニッシュレンズを決定し或いはむしろ計算するとともに第１の眼側視線の視角を決定するために使用されるパラメータは、眼の前方における完成した眼鏡レンズの使用位置のパラメータに対応している。
【００３９】
すなわち、完成した眼鏡レンズの顧客固有パラメータは、セミフィニッシュレンズを計算し或いは決定するために使用された顧客固有パラメータに対応している。
【００４０】
セミフィニッシュレンズは、例えば、従来の様式で決定され或いはむしろ計算された多焦点眼鏡レンズであっても良い。特に、セミフィニッシュレンズは、セミフィニッシュレンズのデカルト座標に応じた標的値を用いて従来の様式で決定され或いはむしろ計算されても良い。
【００４１】
方法は、ｎ個の異なる交点を用いて実施されることが好ましい。したがって、各交点では、セミフィニッシュレンズの表面をただ１つの視線が貫き、ｎ個の視線のそれぞれの視角は互いに異なっている。
【００４２】
ｎ０個の支持点或いは計算点を用いてセミフィニッシュレンズが従来の様式で計算される場合、視線または交点の数は、支持点または計算点の数−すなわち、ｎ＝ｎ０に対応することが好ましい。支持点または計算点は、セミフィニッシュレンズの眼側表面および／または被写体側表面の点であることが好ましく、これを用いて、例えば所定の処方を得るために対応する表面の形状が計算される（標的値内で）。
【００４３】
すなわち、本発明の方法は、好ましくは複数のｎ個の視線と共に使用されても良い。したがって、第１の視線の交点、第２の視線の交点、第３の視線の交点．．．ｎ番目の視線の交点が指定され、対応する視線の視角が規定される。その際、視角は球座標で与えられる。この点で、対応する座標系は、眼鏡着用者および／または複数の眼鏡着用者の頭に関する静止座標系である。
【００４４】
また、セミフィニッシュレンズの顧客固有パラメータを考慮に入れると、ｎ個の交点の座標は、座標変換ＳＩＰを用いて対応するｎ個の視線のそれぞれの座標へと変換できることが好ましい。言い換えると、座標変換ＳＩＰを用いると、各眼鏡レンズの好ましくはデカルト座標系内の各交点の座標を、一人の着用者の頭または複数の着用者の頭のそれぞれの座標系内の視角−すなわち、球座標−へと変換することができる。
【００４５】
一組の眼鏡レンズの各眼鏡レンズにおいて再び本発明の方法が実施されることが特に好ましい。
【００４６】
複数のセミフィニッシュレンズのそれぞれの表面の１つ以上の交点は、セミフィニッシュレンズのそれぞれの座標系内で指定されることが好ましい。例えば、眼鏡レンズのそれぞれの表面における第１、第２、第３．．．．第１００の交点は、セミフィニッシュレンズのそれぞれの各表面毎に指定される。第１、第２、第３．．．第１００の交点の座標は、それぞれの眼鏡レンズの各座標系で与えられる。第１の交点の座標は、それぞれの眼鏡レンズの各座標系内で同一である。同様に、それぞれの眼鏡レンズの座標系内の第２の交点の座標が同一であることが好ましい。同じことが３番目から１００番目までの交点の座標に当てはまる。
【００４７】
また、交点は１００個の交点に限定されない。むしろ、任意の数のｎ個の交点を指定することもできる。
【００４８】
その交点が指定されるセミフィニッシュレンズの表面は、例えば、被写体側表面であっても良い。また、前記表面は、セミフィニッシュレンズの眼側表面であっても良い。
【００４９】
本発明の方法の他の好ましい実施形態では、最初のステップにおいて、
−基準眼鏡レンズの表面の少なくとも１つの基準交点（ｘＲ，ｙＲ）が基準眼鏡レンズの座標系内で決定され、
−各基準交点（ｘＲ，ｙＲ）に対して標的値ｆＲ（ｘＲ，ｙＲ）が割り当てられ、
−眼の前方の使用位置における基準眼鏡レンズの各基準交点（ｘＲ，ｙＲ）毎に、眼の座標系内で眼側視線の視角（φ，Ψ）が決定され、前記視線が各基準交点（ｘＲ，ｙＲ）で基準眼鏡レンズの表面を貫くとともに、
（φ，Ψ）＝ｓＩＰ（ｘＲ，ｙＲ）
が成り立ち、
−基準眼鏡レンズの各基準交点の標的値が、関連する視線の標的値に対して割り当てられ、
ｇ（φ，Ψ）＝ｆＲ（ｘＩＰ（φ，Ψ））
が成り立ち、
ｘＩＰは座標変換であり、この座標変換を用いて、各視線の視角は、使用位置での対応する基準眼鏡レンズの顧客固有パラメータを考慮して、対応する基準眼鏡レンズの座標系内の対応する基準交点の座標へと変換される。
【００５０】
結果として、基準眼鏡レンズは、１つの眼鏡レンズまたは一組の眼鏡レンズが形成される前に指定されることが好ましい。基準眼鏡レンズは、平均球面屈折力と平均軸位置を有する中程度の非点収差−すなわち、平均円柱軸位置を有する中心円柱−とを有することが好ましい。また、基準眼鏡レンズを表わすために平均顧客固有パラメータが使用されることが好ましい。そのような眼鏡レンズは、例えば従来の最適化法によって計算され或いは決定されても良く、また、任意に形成されても良い。基準交点または複数の基準交点は、基準眼鏡レンズの眼側表面または被写体側表面であっても良い表面上で決定される。各基準交点毎に、標的値が公知であり、および／または、各基準交点に対して所定の標的値が割り当てられる。
【００５１】
また、各基準交点毎に、視線が規定されおよび／または決定される。典型的な眼鏡着用者の眼の前方の眼鏡レンズの使用位置では、前記視線が対応する基準交点を貫く。
【００５２】
眼鏡着用者の座標系では−すなわち、眼鏡着用者の頭に対して静止する座標系では−、各視線の視角が球座標で規定される。その後、基準交点の標的値は、対応する基準交点を貫くそれぞれの視線に対して割り当てられる。例えば１つの基準交点だけが選択される場合、眼鏡レンズの使用位置で基準交点を貫く視線の標的値は、基準交点の標的値と一致する。例えば、第１および第２の基準交点が指定される場合、第１の交点の標的値は、第１の交点を貫く第１の視線に対して割り当てられる。それに応じて、第２の交点の標的値が第２の視線に対して割り当てられる。この場合、第２の視線は、第２の交点で基準眼鏡レンズの表面を貫く。同様に、同じことが複数の基準交点に対して当てはまる。
【００５３】
その結果、本発明の方法では、１つ以上の眼鏡レンズを形成するために、対応する視線の標的値が使用される。したがって、眼鏡レンズは、様々な顧客固有パラメータによって異なっても良い。その結果、本発明の方法の好ましい実施形態で使用される視線の数は、基準眼鏡レンズを計算しおよび／または決定するために用いる点の数と一致することが好ましい。すなわち、視線の数は、指定標的値の数と一致することが好ましい。
【００５４】
また、方法は、基準眼鏡レンズとは異なる少なくとも１つの眼鏡レンズに関して、好ましくは第１のステップにしたがって実施される。
【００５５】
一組の眼鏡レンズの各眼鏡レンズ毎に、第１のステップにしたがって方法が再び実施されることが特に好ましい。
【００５６】
すなわち、標的値は、基準眼鏡レンズの基準交点のデカルト座標の関数として与えられ、また、基準交点に属する視線には、対応する基準交点の標的値が割り当てられる。
したがって、標的値は、それぞれの視線の視角の関数として与えられても良い。製造されるべき任意の数の眼鏡レンズにおいて、標的値は、視線の視角の関数として使用される。したがって、眼鏡レンズの各交点毎に、対応する視線が決定され、また、特に、対応する視線の視角が決定される。標的値は、視線の関数としておよび／または視線の視角として標的値を分配することにより、セミフィニッシュレンズの交点に対して割り当てられる。
これらの標的値を用いると、セミフィニッシュレンズを完全に計算しおよび／または規定して製造することができる。
【００５７】
すなわち、各眼鏡着用者のための使用位置において、前記方法にしたがって形成される一組の眼鏡レンズの全ての眼鏡レンズは、所定の凝視方向で同じ光学品質を示す。この点で、それぞれの眼鏡レンズの光学特性は、それぞれの眼鏡レンズのデカルト座標に応じて確実に異なっても良い。
【００５８】
また、全ての想定し得る視線および／または視線の様々な視角に関して標的値の割り当てを実施する必要はない。むしろ、特定量の視線を割り当てれば十分である。例えば、視線の数は、眼側表面および／または被写体側表面の変数に依存していても良い。好ましくは、視線は、球座標における２つの隣り合う視線間の距離が好ましくは約２ｄｅｇ、特に好ましくは約１ｄｅｇとなるように選択されおよび／または配置されても良い。
【００５９】
任意に、標的値は、決定されない視線に関して補間されても良い。例えば、対応する視線の交点に対して何ら標的値が割り当てられないように交点が指定される場合、そのような視線の標的値は、隣り合う視線の標的値によって補間されても良い。
【００６０】
本発明の他の態様は、少なくとも一人の眼鏡着用者の光学的非正視を補正するための一組の眼鏡レンズのうちの少なくとも１つの眼鏡レンズの使用である。したがって、一組の前記少なくとも１つの眼鏡レンズは、眼側表面と、被写体側表面とを備え、
一組の前記少なくとも１つの眼鏡レンズの眼側表面および／または被写体側表面は、各眼鏡着用者の眼の前方における前記少なくとも１つの眼鏡レンズの使用位置で、第１の視線の交点での標的値が前記少なくとも１つの眼鏡レンズのそれぞれの眼側表面または被写体側表面と略同一になるように設計され、
第１の視線のそれぞれは、各眼の瞳孔中心点および光学眼球回転点と交わる所定の眼側視線であり、
第１の視線の全てが所定の同一の眼側視角を示し、
各交点における標的値は、
−球面屈折力の所定の値と使用位置における球面屈折力の実際の値との間の最大許容差、および／または、
−非点収差の所定の値と使用位置における無非点収差の実際の値との間の最大許容差、および／または、
−円柱軸位置の所定の値と一組の前記少なくとも１つの眼鏡レンズの使用位置における円柱軸位置の実際の値との間の最大許容差、
からなる。
【００６１】
また、一組の眼鏡レンズに関する前述した説明は、一組の眼鏡レンズの前記少なくとも１つの眼鏡レンズの使用にも同様の様式で適用される。
【００６２】
以下、一例として含められる好ましい実施形態の添付図面を参照して、本発明を説明する。
【発明を実施するための最良の形態】
【００６３】
図１は、眼鏡の着用者の眼１０と第１の眼鏡レンズ１２との系の斜視図である。第１の眼鏡レンズ１２は、眼１０のゼロ凝視方向の視線１４が第１の眼鏡レンズ１２のゼロ視点１８で第１の眼鏡レンズ１２の眼側の表面１６と交差するように、眼１０の前方に配置されている。眼鏡着用者がゼロ凝視方向で見るような様式で眼１０が向けられる場合、ゼロ凝視方向の視線１４は、光学眼球回転点２０および瞳孔２２の中心点２４とも交わる。また、図１はベース面２６を示している。この点において、ベース面２６は２つの交差する直線２８，１４を含む。ベース面２６は、直線２８と、ゼロ凝視方向の視線１４とを含む。直線２８は、眼１０の光学眼球回転点２０および眼鏡着用者の第２の眼（図示せず）の光学眼球回転点２０’と交わる。眼鏡着用者がゼロ凝視方向で見る場合、一方の眼１０の瞳孔２２の中心点２４および眼鏡着用者の第２の眼（図示せず）の瞳孔（図示せず）の中心点もベース面２６内に位置する。特に、図１は、眼１０がゼロ凝視方向を向く配置を起点として眼１０が光学眼球回転点２０を中心に回転された配置状態で眼鏡着用者の眼１０を示している。したがって、眼鏡着用者は、ゼロ凝視方向で見ておらず、むしろ、ゼロ凝視方向と異なる方向で見ている。眼鏡着用者が見る凝視方向は第１の視線３０によって表わされている。第１の視線３０は、光学眼球回転点２０および眼１０の瞳孔２２の中心２４と交わる。また、第１の視線３０は、眼側表面１６を第１の交点３２で貫いている。更に、第１の視線３０の視角（φ１，Ψ１）が示されている。特に、第１の視線３０の視角は球座標で与えられる。この場合、球座標は、眼鏡着用者の頭（図示せず）に関する静止座標系に関連している。特に、座標系は、ベースライン２６およびゼロ凝視方向の視線１４によって規定される。
【００６４】
図１に示される第１の視線３０は、光学眼球回転点２０でベース面２６と交わる。また、図１は、ベース面２６上の第１の視線の投影３４を示している。球座標において、結果は、面２６上の第１の視線３０の投影３４とゼロ凝視方向の視線１４との間の角度としてのアジマス角φ１である。傾斜角Ψ１は、ベース面２６との第１の視線３０の交角を表わしている。すなわち、傾斜角Ψ１は、第１の視線３０とベース面２６上の第１の視線３０の投影３４との間の角度である。眼鏡着用者がゼロ凝視方向で見る場合、アジマス角φ１および傾斜角Ψ１は０度に等しい。したがって、第１の視線３０が球座標で明確に規定される。同時に、第１の視線３０の視角は、アジマス角φ１および傾斜角Ψ１によって規定される。眼１０の凝視方向が変わると、視角−すなわち、アジマス角φおよび／または傾斜角Ψ−が変化する。
【００６５】
２つの異なる視線−例えば、第１の視線３０および第２の視線（図２〜図４に示されている）−は、球座標の２つの角度のうちの少なくとも一方が異なっている。すなわち、これらの視線は、アジマス角φおよび／または傾斜角Ψが異なっている。その結果、任意の各眼鏡着用者毎に、各視線が眼鏡着用者の頭の静止座標系内の球座標で明確に表わされても良い。
【００６６】
図２は、図１の垂直断面図−すなわち、ベース面２６と直交するゼロ凝視方向の視線１４に沿う断面図である。ベース面２６は、図２の描いている面と直交する。その結果、図２では、アジマス角φ１が見えず、第１の視線３０の傾斜角Ψ１だけが見える。第１の視線は、第１の交点３２で第１の眼鏡レンズ１２の眼側表面１６と交わる。また、図２は第１の眼鏡レンズ１２のｙ軸を示している。第１の交点３２のｙ軸上の投影は、第１の交点３２のｙ座標ｙ１をもたらす。更に、図２は第２の視線３８を示している。第２の視線３８は眼１０の修正凝視方向に対応している。眼１０の修正凝視方向は、光学眼球回転点２０を中心に眼１０を回転させることによって得られる。すなわち、眼鏡着用者の頭の静止座標系内における瞳孔２２の中心点２４の位置が変えられる。凝視角が変化するとき、光学眼球回転点２０は変化しない。
【００６７】
特に、第２の視線３８は、光学眼球回転点２０および眼１０の瞳孔２２の中心点２４と交差する。図２が示すように、第２の視線３８は、第１の視線３２の傾斜角Ψ１とは異なる傾斜角Ψ２をとる。その結果、第２の視線３８は、第１の眼鏡レンズ１２の眼側表面１６と第２の交点４０で交わる。第２の交点４０のｙ軸上の投影は、第２の交点４０のｙ座標ｙ２をもたらす。
【００６８】
図３はベース面２６に沿う図１の断面図である。図３は、第１の視線３０のベース面２６上の投影３４を示している。図３は、第２の視線３８のベース面２６上の投影４２を同様の様式で示している。また、図３は、第１の交点３２のｘ軸上の投影および第２の交点４０のｘ軸上の投影を示している。第１の交点３２のｘ軸上の投影は、第１の交点３２のｘ座標ｘ１をもたらす。第２の交点４０のｘ軸上の投影は、第２の交点４０のｘ座標ｘ２を同様の様式でもたらす。
【００６９】
図３は、第１の視線３０のアジマス角φ１および第２の視線４２のアジマス角φ２のみを示している。図３の選択された断面のため、傾斜角Ψ１，Ψ２は見えない。
【００７０】
図４は図３の断面図である。しかしながら、第１の眼鏡レンズ１２の代わりに第２の眼鏡レンズ４４が存在しており、第２の眼鏡レンズ４４は図１〜図３に示される配置とは異なる配置を示している。特に、図４の第２の眼鏡レンズ４４が配置されるフレームディスク角は、図３の第１の眼鏡レンズ１２が配置されるフレームディスク角とは異なっている。したがって、第１の視線３０および第２の視線３８が同一の場合には、第１の交点３２および第２の交点４０のｘ座標が変化する。第１の交点３２はｘ座標ｘ１’を有する。第２の交点４０はｘ座標ｘ２’を有する。
【００７１】
第１の眼鏡レンズ１２が眼鏡着用者の眼１０の前方に配置される場合、第１の眼鏡レンズ１２は、第１の交点３２で所定の標的値を示す。例えば、第１の交点３２における規定球面屈折力は１ｄｐｔである。しかしながら、第１の交点３２における実際の球面屈折力は規定値から外れる場合がある。実際の球面屈折力からの規定球面屈折力の最大偏差が標的値と呼ばれる。例えば、第１の交点３２における標的値は０．５ｄｐｔであっても良い。その結果、球面屈折力の実際の現在値は例えば１．５ｄｐｔであっても良い。
【００７２】
第１の眼鏡レンズ１２の座標系の座標が与えられると、座標（ｘ１，ｙ１）を有する第１の交点３２では、実際の球面屈折力が１．５ｄｐｔとなる。
【００７３】
同様の様式で、第２の視線３８の第２の交点４０で特定の処方−例えば１．５ｄｐｔ−が指定されても良く、また、それに対応して、第２の視線３８において標的値−例えば１．０ｄｐｔ−が与えられても良い。その結果、第２の交点４０における球面屈折力の実際の値が例えば２．５ｄｐｔであっても良い。
【００７４】
第１の眼鏡レンズ１２の代わりに第２の眼鏡レンズ４４が使用位置で眼鏡着用者の眼１０の前方に配置される場合には、第１の視線３０および第２の視線３８の両方が第２の眼鏡レンズ４４の眼側表面４６を貫く。その結果、第１の交点３２および第２の交点４０が再び存在する。しかしながら、第２の眼鏡レンズ４４の座標系において、第１の交点３２および第２の交点４０はいずれも、第１の眼鏡レンズ１２の座標系内における第１の交点３２および第２の交点４０の座標とは異なる座標を示す。第２の眼鏡レンズ４４の座標系における第１の交点３２の座標は例えば（ｘ１’，ｙ１’）である。第２の眼鏡レンズ４４の座標系内の第２の交点４０の座標は例えば（ｘ２’，ｙ２’）である。しかしながら、第１の交点における標的値は眼鏡レンズと無関係である。すなわち、標的値は、第２の眼鏡レンズ４４の眼側表面４６を貫く第１の視線３０の第１の交点３２で例えば０．５ｄｐｔである。同様に、第２の眼鏡レンズ４４の眼側表面４６を貫く第２の視線３８の第２の交点４０の標的値は例えば１ｄｐｔである。第１の交点３２または第２の交点４０で球面屈折力の実際の値が決定される場合、それは、それぞれの交点における処方された球面屈折力と標的値とを含む値の範囲内にある。
【００７５】
第２の眼鏡レンズ４４の眼側表面４６を貫く第１の視線３０の第１の交点３２における処方された球面屈折率は例えば１．５ｄｐｔであっても良い。第２の眼鏡レンズ４４の眼側表面４６を貫く第２の視線３８の第２の交点４０における実際の球面屈折率は例えば２．５ｄｐｔである（１ｄｐｔの標的値内である）。その結果、第１の眼鏡レンズ１２または第２の眼鏡レンズ４４が眼１０の前方に配置されるかどうかにかかわらず、眼鏡着用者は、見栄えの同じ主観的感覚を有する。
【００７６】
前記仕様は、２つの眼鏡レンズ１２，４４および２つの視線３０，３８に関する一例として記載された。しかしながら、前記仕様は、複数の視線、例えば約１００個の視線にも適用される。同様に、前記構造は、複数の眼鏡レンズに同様の様式で適用される。また、視線の数は、眼鏡レンズが変わるにつれて変化しても良い。例えば、視線は、眼の隣り合う視線のアジマス角および／または傾斜角が所定の角度だけ、好ましくは約５度だけ、特に好ましくは約２度だけ、特に約１度だけ異なるように配置されても良い。２つの異なる眼鏡レンズ１２，４４が例えば異なる大きさの眼側表面を示す場合には、例えばそれぞれの表面を異なる数の視線が貫く。
【００７７】
また、前記記載が複数の眼鏡着用者に適用されることも可能である。すなわち、視線の交点における標的値−つまり、処方された値からの実際の既存の光学特性のずれ−は、各着用者のための眼鏡レンズの眼側表面を貫く略同一の視角と同じである。光学特性は、例えば、球面屈折率、乱視度数（円柱）、および、円柱の軸位置である。複数の眼鏡着用者において、例えば１つの第１の視線が存在しても良く、その場合、それぞれの眼鏡着用者において、第１の視線がアジマス角φ１および傾斜角Ψ１を示す。
【００７８】
それぞれの眼鏡着用者において、アジマス角φ１の値は、他の眼鏡着用者のアジマス角φ１の値と同一である。同様の様式で、各眼鏡着用者における傾斜角Ψ１の値は、他の眼鏡着用者の傾斜角Ψ１の値と同一である。したがって、それぞれの第１の視線において、光学変数の処方値およびこの光学変数の実際の値からの最大偏差は、対応する交点で同じである。主観的視覚はこの偏差に正確に一致する。光学変数の実際の値が光学変数の処方値と同じである場合には、眼鏡着用者の視覚障害が正確に補償される。すなわち、眼鏡着用者は、あたかも自分が光学的な非正視を持っていなかったかのように光学的視覚感覚を有する。しかしながら、実際の値が処方値から外れている−視覚障害が完全に補償されない−場合、眼鏡着用者は、主観的なマイナスの視覚感覚を有する。処方値からの実際の値のずれは、標的値によって表わされる。所定の視線において−すなわち、特定の視角において−全ての眼鏡着用者およびそれぞれの眼鏡着用者の眼の前方に配置された全ての想定し得る眼鏡レンズにおける標的値が同じである場合、全ての想定し得る眼鏡レンズにおける全ての眼鏡着用者は、この特定の視角において同じ主観的視覚感覚を有する。これが複数の特定の視角において−すなわち、複数の所定の視線において−当てはまる場合、これらの視角のそれぞれにおいて−すなわち、これらの視線のそれぞれにおいて−、複数の眼鏡着用者は、（それぞれの眼鏡着用者に対して割り当てられた）何れの眼鏡レンズが眼鏡着用者のそれぞれの眼の前方に配置されているかにかかわらず、同じ主観的視覚感覚を有する。
【００７９】
前記構造は、それぞれの交点での球面屈折力における値に関連して一例として説明した。しかしながら、これは、本発明によれば、他の光学変数、例えば乱視度数（すなわち、乱視の値）および／または対応する交点における乱視（円柱）軸（すなわち、乱視の軸位置）に対しても適用される。
【図面の簡単な説明】
【００８０】
【図１】眼鏡着用者の眼の前方の使用位置における眼鏡レンズの配置の斜視図である。
【図２】図１の断面図である。
【図３】図１の平面図である。
【図４】図３の平面図である。
【符号の説明】
【００８１】
１０  眼
１２  第１の眼鏡レンズ
１４  ゼロ凝視方向の視線
１６  眼側表面
１８  ゼロ視点
２０  光学眼球回転点
２０’  光学眼球回転点
２２  瞳孔
２４  中心点
２６  ベース面
２８  直線
３０  第１の視線
３２  第１の交点
３４  投影
３６  ｙ軸
３８  第２の視線
４０  第２の交点
４２  投影
４４  第２の眼鏡レンズ
４６  眼側表面
【図１】
0005881928.tif 000002
【図２】
0005881928.tif 000003
【図３】
0005881928.tif 000004
【図４】
0005881928.tif 000005